(57)【要約】【課題】インターネットファクスサーバを使用してＭＦＰからファクス送信する場合、そのＭＦＰが実際に送信するのはメール或いはＩＦＡＸであるが、ＭＦＰのユーザにとってはファクス送信であるため、ファクス番号に加えてドメイン名まで入力するのは違和感があり、かつ手間がかかるため利便性が低い。【解決手段】本発明の画像通信装置は、ファクス送信がファクスサーバを介した送信か否かを判定し、そのファクス送信がファクスサーバを介した送信であると判定すると、そのファクス送信の宛先に前記ファクスサーバのドメイン情報を付加し、ドメイン情報が付加されたファクス送信の宛先に画像を送信する。【選択図】  図２１
2019047285.tif 000002
【特許請求の範囲】
【請求項１】
ファクス送信がファクスサーバを介した送信か否かを判定する判定手段と、
前記判定手段により、前記ファクス送信がファクスサーバを介した送信であると判定されると、前記ファクス送信の宛先に前記ファクスサーバのドメイン情報を付加する付加手段と、
前記付加手段によりドメイン情報が付加された前記ファクス送信の宛先に画像を送信する送信手段と、
を有することを特徴とする画像通信装置。
【請求項２】
前記付加手段は、前記ファクス送信の宛先を示すファクス番号の末尾に前記ドメイン情報を付加することを特徴とする請求項１に記載の画像通信装置。
【請求項３】
前記ファクスサーバを使用するか否か、及び前記ファクスサーバを使用する際は、前記ファクスサーバのアドレス及びドメイン情報を登録する登録手段を、更に有し、
前記判定手段は、前記登録手段に登録された内容に基づいて判定することを特徴とする請求項１又は２に記載の画像通信装置。
【請求項４】
前記ファクスサーバを使用するか否か、及び前記ファクスサーバを使用する際は、前記ファクスサーバのアドレス及びドメイン情報を登録する登録手段を、更に有し、
前記付加手段は、前記登録手段に登録された前記ドメイン情報を付加することを特徴とする請求項１又は２に記載の画像通信装置。
【請求項５】
Ｉファクス送信の宛先にドメイン情報を自動的に付与するか否か、及び、当該ドメイン情報を設定する設定手段と、
前記ファクス送信の宛先がＩファクス宛先である場合、前記設定手段の設定に従って、当該Ｉファクス宛先に前記ドメイン情報を付与する付与手段と、
を更に有することを特徴とする請求項１乃至４のいずれか１項に記載の画像通信装置。
【請求項６】
アドレス帳を表示する表示手段と、
表示された前記アドレス帳から前記ファクス送信の宛先を指定する指定手段とを、更に有し、
前記画像通信装置がファクス送信が可能であるとき、前記表示手段は、ファクスの宛先を含むアドレス帳を表示することを特徴とする請求項１乃至５のいずれか１項に記載の画像通信装置。
【請求項７】
前記ファクス送信が可能とは、前記画像通信装置がファクスモデムを搭載しているか、或いは前記ファクスサーバを介した送信が設定されている場合であることを特徴とする請求項６に記載の画像通信装置。
【請求項８】
画像通信装置を制御する制御方法であって、
ファクス送信がファクスサーバを介した送信か否かを判定する判定工程と、
前記判定工程で、前記ファクス送信がファクスサーバを介した送信であると判定されると、前記ファクス送信の宛先に前記ファクスサーバのドメイン情報を付加する付加工程と、
前記付加工程でドメイン情報が付加された前記ファクス送信の宛先に画像を送信する送信工程と、
を有することを特徴とする制御方法。
【請求項９】
コンピュータを、請求項１乃至７のいずれか１項に記載の画像通信装置の各手段として機能させるためのプログラム。
【発明の詳細な説明】
【技術分野】
【０００１】
本発明は、画像通信装置とその制御方法、及びプログラムに関するものである。
【背景技術】
【０００２】
ＩＰ網に接続された複数のＩＰファクス端末が、そのＩＰ網に接続されたメールサーバを介してファクス画像の送受信を行うという技術がある（特許文献１参照）。この技術はメールサーバ側で、送信先のファクス番号とＩＰアドレスとを紐づけて記憶しており、ファクス番号とＩＰアドレスの変換が可能なため、送信元のＩＰファクス端末が送信先のＩＰアドレスを記憶していなくても送信できる。しかしメールサーバが送信先のＩＰアドレスとファクス番号とを紐づけて記憶していないと送信できないという課題がある。
【０００３】
一方、近年、インターネットファクスサービスが普及してきている。このサービスでは、ユーザは、ファクス番号とインターネットファクスサーバのドメイン名で構成された宛先を指定して、そのインターネットファクスサーバに、メール又はインターネットファクスで送信する。これによりインターネットファクスサーバは、そのメール又はインターネットファクスで送信されたデータをＧ３ＦＡＸに変換して、そのファクス番号の宛先に送信する。このサービスは電話回線使用料がかからず、かつ先行技術のようにメールサーバが、送信先のＩＰアドレスとファクス番号とを紐づけて記憶していなくても送信可能である。
【先行技術文献】
【特許文献】
【０００４】
【特許文献１】特開２００７−３０６２９７号公報
【発明の概要】
【発明が解決しようとする課題】
【０００５】
いま複合機（ＭＦＰ）からインターネットファクスサーバを使用してファクス送信する場合、ＭＦＰがインターネットファクスサーバに対して実際に送信するのはメール又はインターネットファクスである。そのためＭＦＰからインターネットファクスを送信する場合、送信先のファクス番号とドメイン情報とを使用したメールアドレスの形式で宛先を入力する必要がある。しかしＭＦＰのユーザには、ＭＦＰを使用してファクス送信することに変わりないため、上述した宛先を入力する操作は、従来からＭＦＰのファクス機能を利用していたユーザにとっては違和感のある操作となり、利便性が低下するという課題があった。
【０００６】
本発明の目的は、上記従来技術の課題を解決することにある。
【０００７】
本発明の目的は、インターネットファクス送信する場合でも、従前のファクス機能での送信先の指定処理と同様にして、インターネットファクスの宛先を指定してファクス送信することができる。
【課題を解決するための手段】
【０００８】
上記目的を達成するために本発明の一態様に係る画像通信装置は以下のような構成を備える。即ち、
ファクス送信がファクスサーバを介した送信か否かを判定する判定手段と、
前記判定手段により、前記ファクス送信がファクスサーバを介した送信であると判定されると、前記ファクス送信の宛先に前記ファクスサーバのドメイン情報を付加する付加手段と、
前記付加手段によりドメイン情報が付加された前記ファクス送信の宛先に画像を送信する送信手段と、を有することを特徴とする。
【発明の効果】
【０００９】
本発明によれば、インターネットファクス送信する場合でも、従前のファクス機能での送信先の指定処理と同様にして、インターネットファクスの宛先を指定してファクス送信することができるという効果がある。
【００１０】
本発明のその他の特徴及び利点は、添付図面を参照とした以下の説明により明らかになるであろう。尚、添付図面においては、同じ若しくは同様の構成には、同じ参照番号を付す。
【図面の簡単な説明】
【００１１】
添付図面は明細書に含まれ、その一部を構成し、本発明の実施形態を示し、その記述と共に本発明の原理を説明するために用いられる。
【図１】本発明の実施形態に係る画像通信装置のハードウェア構成を説明するブロック図。
【図２】実施形態に係る画像通信装置を含む通信システムの構成例を示す図。
【図３】実施形態に係る画像通信装置によるメイン処理を説明するフローチャート。
【図４】実施形態に係る画像通信装置の操作部の表示部に表示される画面の一例を示す図。
【図５】図３のＳ３０３の設定／登録処理を説明するフローチャート。
【図６】図５のＳ５０３のファクスサーバ設定処理を説明するフローチャート。
【図７】実施形態に係る画像通信装置の操作部の表示部に表示されるファクスサーバ設定画面の一例を示す図。
【図８】図５のＳ５０５のファクスサーバ使用設定処理を説明するフローチャート。
【図９】実施形態に係る画像通信装置の操作部の表示部に表示されるファクスサーバ使用設定画面の一例を示す図。
【図１０】図５のＳ５０７のＩＦＡＸドメイン設定処理を説明するフローチャート。
【図１１】実施形態に係る画像通信装置の操作部の表示部に表示されるＩＦＡＸドメイン設定処理画面の一例を示す図。
【図１２】図３のＳ３０５のファクス処理を説明するフローチャート。
【図１３】実施形態に係る画像通信装置の操作部の表示部に表示されるファクス画面とジョブ状況誘導画面の一例を示す図。
【図１４】図３のＳ３０７のスキャンして送信処理を説明するフローチャート。
【図１５】実施形態に係る画像通信装置の操作部に表示されるスキャン画面、及び、ジョブ状況誘導画面の一例を示す図。
【図１６】図１２のＳ１３０３、図１４のＳ１６０３の宛先選択処理を説明するフローチャート。
【図１７】Ｓ１９０５で操作部の表示部に表示されるアドレス帳画面、及び、ファクス宛先も登録できるアドレス帳登録画面の一例を示す図。
【図１８】Ｓ１９１６で操作部の表示部に表示される、ファクス宛先を登録できないアドレス帳登録画面の一例を示す図。
【図１９】図１２のＳ１３０５、図１４のＳ１６０５の応用モード処理を説明するフローチャート。
【図２０】Ｓ２３０１で操作部の表示部に表示される応用モード画面の一例を示す図。
【図２１】図１２のＳ１３０７、図１４のＳ１６０７の送信処理を説明するフローチャート。
【図２２】図２１のＳ２５０１の原稿をスキャンして読み取る処理を説明するフローチャート。
【図２３】操作部の表示部に表示される確認画面の一例を示す図。
【図２４】図１２のＳ１３１０、図１４のＳ１６１０のジョブ状況処理を説明するフローチャート。
【図２５】図１２のＳ１３１１、図１４のＳ１６１１の後処理を説明するフローチャート。
【発明を実施するための形態】
【００１２】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１３】
図１は、本発明の実施形態に係る画像通信装置１０１のハードウェア構成を説明するブロック図である。
【００１４】
ＣＰＵ１１１は、記憶部１１３に記憶されているプログラムをＲＡＭ１１２に展開し、その展開したプログラムを実行することにより、バス１１８に接続されている各部を制御して画像通信装置１０１全体の動作を制御する。またＲＡＭ１１２は、ＣＰＵ１１１のワークエリアを提供する。記憶部１１３は、プログラムや種々の設定、及びファイル等を格納する、例えばハードディスク、ＳＤＲＡＭ等である。この記憶部１１３には更に、通信部１１６が文書を送信する際の送信先を記憶するアドレス帳、ファクスサーバの設定と、ファクスサーバを使用するかを示す設定等が記憶されている。操作部１１４は、タッチパネル機能を有する表示部とハードキー等を備え、ユーザがＧＵＩ（グラフィックユーザインターフェース）を介して様々な設定やコマンドの入力等に使用される。リーダ部１１５は、原稿を読み取って、その原稿の画像データを取得する。リーダ部１１５は、自動原稿読み取り装置（以下、ドキュメントフィーダ）と原稿台読み取り装置（以下、フラットベット）を有している。通信部１１６は、ネットワーク１１７を介して、そのネットワーク１１７に接続されている他機器と通信する。
【００１５】
図２は、実施形態に係る画像通信装置１０１を含む通信システムの構成例を示す図である。
【００１６】
ファクスサーバ（ＦＡＸサーバ）２０１は、ネットワーク１１７を介して画像通信装置１０１と接続されている。このファクスサーバ２０１は、「faxserver.com」ドメインのインターネットファクス（以下、ＩＦＡＸ）を受信するように構成されている。また受信したＩＦＡＸの送信宛先のドメイン名より前の部分がファクス番号の場合は、そのファクス番号に対して、ＩＦＡＸに添付された文書をファクス送信する。また、画像通信装置１０１とファクスサーバ２０１はネットワーク１１７を介して、ファクス装置２０２と公衆電話回線２０３を介して、それぞれ接続されている。このファクス装置２０２には、ファクス番号として「＋８１０１２３４５６７８９」が割り当てられているものとする。
【００１７】
図３は、実施形態に係る画像通信装置１０１によるメイン処理を説明するフローチャートである。このフローチャートで示す処理は、ＣＰＵ１１１が記憶部１１３に記憶されているプログラムをＲＡＭ１１２に展開し、その展開したプログラムを実行することにより実現される。尚、この処理は画像通信装置１０１の電源がオンされることにより開始される。
【００１８】
先ずＳ３０１でＣＰＵ１１１は、例えば図４に示すような基本画面を操作部１１４の表示部に表示する。
【００１９】
図４（Ａ）は、実施形態に係る画像通信装置１０１の操作部１１４の表示部に表示される基本画面（メニュ画面）の一例を示す図である。
【００２０】
この基本画面には、「設定／登録」ボタン４０１、「ファクス」ボタン４０２、そして「スキャンして送信」ボタン４０３が表示されている。
【００２１】
次にＳ３０２に進みＣＰＵ１１１は、設定／登録機能を選択する「設定／登録」ボタン４０１が押下されたかどうか判定し、「設定／登録」ボタン４０１が押下されたと判定するとＳ３０３に進み、そうでないときはＳ３０４に進む。Ｓ３０３でＣＰＵ１１１は、図５を参照して後述する設定／登録処理を実行してＳ３０１に戻る。
【００２２】
またＳ３０４でＣＰＵ１１１は、ファクス機能を選択する「ファクス」ボタン４０２が押下されたかどうか判定し、「ファクス」ボタン４０２が押下されたと判定するとＳ３０５に進み、そうでないときはＳ３０６に進む。Ｓ３０５でＣＰＵ１１１は、図１２を参照して後述するファクス処理を実行してＳ３０１に戻る。
【００２３】
Ｓ３０６でＣＰＵ１１１は、「スキャンして送信」ボタン４０３が押下されたかどうか判定し、「スキャンして送信」ボタン４０３が押下されたと判定するとＳ３０７に進み、そうでないときはＳ３０１に進む。Ｓ３０７でＣＰＵ１１１は、図１４を参照して後述するスキャンして送信処理を実行してＳ３０１に戻る。
【００２４】
図５は、図３のＳ３０３の設定／登録処理を説明するフローチャートである。
【００２５】
この設定登録処理が開始されると、まずＳ５０１でＣＰＵ１１１は、例えば図４（Ｂ）に示すような設定／登録画面を操作部１１４の表示部に表示する。
【００２６】
図４（Ｂ）は、実施形態に係る画像通信装置１０１の操作部１１４の表示部に表示される設定登録画面（設定登録のメニュー画面）の一例を示す図である。
【００２７】
この設定登録画面には、「ファクスサーバ設定」ボタン６０１、「ファクスサーバ使用設定」ボタン６０２、そして「ＩＦＡＸドメイン設定」ボタン６０３が含まれている。
【００２８】
次にＳ５０２に進みＣＰＵ１１１は、ファクスサーバの設定を行う「ファクスサーバ設定」ボタン６０１が押下されたかどうか判定し、「ファクスサーバ設定」ボタン６０１が押下されたときはＳ５０３に進み、そうでないときはＳ５０４に進む。Ｓ５０３でＣＰＵ１１１は、図６を参照して後述するファクスサーバ設定処理を実施して、この処理を終了する。
【００２９】
Ｓ５０４でＣＰＵ１１１は、ファクスサーバの使用設定を選択する「ファクスサーバ使用設定」ボタン６０２が押下されたかどうか判定し、「ファクスサーバ使用設定」ボタン６０２が押下されたときはＳ５０５に進み、そうでないときはＳ５０６に進む。Ｓ５０５でＣＰＵ１１１は、図８を参照して後述するファクスサーバ使用設定処理を実施して、この処理を終了する。
【００３０】
Ｓ５０６でＣＰＵ１１１は、「ＩＦＡＸドメイン設定」ボタン６０３が押下されたかどうか判定し、「ＩＦＡＸドメイン設定」ボタン６０３が押下されたときはＳ５０７に進み、そうでないときはＳ５０８に進む。Ｓ５０７でＣＰＵ１１１は、図１０を参照して後述するＩＦＡＸドメイン設定処理を実施して、この処理を終了する。Ｓ５０８でＣＰＵ１１１は、キャンセルボタン６０４が押下されたかどうか判定し、キャンセルボタン６０４が押下されたときはこの処理を終了し、そうでなければＳ５０２に戻る。
【００３１】
図６は、図５のＳ５０３のファクスサーバ設定処理を説明するフローチャートである。
【００３２】
このファクスサーバ設定処理が開始されると、まずＳ７０１でＣＰＵ１１１は、例えば図７に示すようなファクスサーバ設定画面を操作部１１４の表示部に表示する。
【００３３】
図７は、実施形態に係る画像通信装置１０１の操作部１１４の表示部に表示されるファクスサーバ設定画面の一例を示す図である。
【００３４】
このファクスサーバ設定画面を介してユーザは、ファクスサーバのアドレス情報８０１、ファクスサーバのドメイン情報８０２を登録することができる。そしてユーザは、決定ボタン８０３を押下することにより、この登録を確定することができる。
【００３５】
Ｓ７０２でＣＰＵ１１１は、決定ボタン８０３が押下されて、ファクスサーバのアドレス情報８０１、ファクスサーバのドメイン情報８０２の入力が完了したかどうかを判定する。ここで入力が完了したと判定するとＳ７０３に進みＣＰＵ１１１は、このファクスサーバ設定画面に入力された内容を記憶部１１３に登録して、この処理を終了する。一方、Ｓ７０２で決定ボタン８０３が押下されないと判定したときはＳ７０１に戻る。
【００３６】
この処理により、ファクスサーバを使用する際、ファクスサーバ設定画面を介して、そのファクスサーバのアドレスとドメインを設定することができる。
【００３７】
図８は、図５のＳ５０５のファクスサーバ使用設定処理を説明するフローチャートである。
【００３８】
このファクスサーバ使用設定処理が開始されると、まずＳ９０１でＣＰＵ１１１は、例えば図９に示すようなファクスサーバ使用設定画面を操作部１１４の表示部に表示する。
【００３９】
図９は、実施形態に係る画像通信装置１０１の操作部１１４の表示部に表示されるファクスサーバ使用設定画面の一例を示す図である。
【００４０】
このファクスサーバ使用設定画面を介してユーザは、ファクスサーバを使用するか、使用しないかを、「使用する」ボタン１００１と「使用しない」ボタン１００２で選択することができる。決定ボタン１００３は、この画面の設定を確定させるボタンである。図９では「使用する」ボタン１００１が選択されている。
【００４１】
次にＳ９０２に進みＣＰＵ１１１は、決定ボタン１００３が押下されて、この画面を介して設定が完了したかどうかを判定し、決定ボタン１００３が押下された時はＳ９０３に進み、そうでないときはＳ９０１に進む。Ｓ９０３でＣＰＵ１１１は、このファクスサーバ使用設定画面を介して入力された内容を記憶部１１３に登録して、この処理を終了する。
【００４２】
この処理により、ファクスサーバを使用するかどうかの設定を、ファクスサーバ使用設定画面を介して設定することができる。
【００４３】
図１０は、図５のＳ５０７のＩＦＡＸドメイン設定処理を説明するフローチャートである。
【００４４】
このＩＦＡＸドメイン設定処理が開始されると、まずＳ１１０１でＣＰＵ１１１は、例えば図１１に示すようなＩＦＡＸドメイン設定処理画面を操作部１１４の表示部に表示する。
【００４５】
図１１は、実施形態に係る画像通信装置１０１の操作部１１４の表示部に表示されるＩＦＡＸドメイン設定処理画面の一例を示す図である。
【００４６】
このＩＦＡＸドメイン設定画面は、ＩＦＡＸドメインの自動付与機能を使用するか、使用しないかを、「使用する」ボタン１２０１、「使用しない」ボタン１２０２で指定できる。また、付与するＩＦＡＸドメインを、入力欄１２０３に入力して登録することができる。そしてユーザは、決定ボタン１２０４を押下することにより、この画面で入力した内容を設定することができる。図１１では、ＩＦＡＸドメインの自動付与機能を使用するように選択されている。
【００４７】
Ｓ１１０２でＣＰＵ１１１は、決定ボタン１２０４が押下されたかどうか判定し、決定ボタン１２０４が押下されたときはＳ１１０３に進み、そうでないときはＳ１１０１に進む。Ｓ１１０３でＣＰＵ１１１は、このＩＦＡＸドメイン設定画面で入力された内容を記憶部１１３に登録して、この処理を終了する。
【００４８】
この処理により、ＩＦＡＸドメインを自動的に付与するかどうか、及びそのＩＦＡＸドメインを、ＩＦＡＸドメイン設定画面を介して設定することができる。
【００４９】
図１２は、図３のＳ３０５のファクス処理を説明するフローチャートである。
【００５０】
この処理が開始されるとＳ１３０１でＣＰＵ１１１は、例えば図１３に示すようなファクス画面を表示する。
【００５１】
図１３は、実施形態に係る画像通信装置１０１の操作部１１４の表示部に表示されるファクス画面の一例を示す図である。
【００５２】
このファクス画面では、送信先に指定された宛先が宛先表示領域１４０１に表示される。またオンフック１４０２、ダイレクト送信１４０３、読み込み解像度１４０４、原稿サイズ１４０５を設定することができる。実施形態では、このファクス画面では、上述の項目を設定可能としているが、ファクスサーバの仕様によっては設定できない可能性がある。そのため該当項目をグレーアウト等により選択不可、また非表示にしても良い。アドレス帳アイコン１４０６は、宛先をアドレス帳を参照して指定するときに押下される。
【００５３】
次にＳ１３０２に進みＣＰＵ１１１は、アドレス帳アイコン１４０６が押下されて宛先選択処理が選択されたか判定する。宛先選択処理が選択されたときはＳ１３０３に進みＣＰＵ１１１は、後述する宛先選択処理を実行してＳ１３０１に進む。Ｓ１３０２で宛先選択処理が選択されていなければＳ１３０４に進みＣＰＵ１１１は、応用モードボタン１４０７が押下されたかどうかを判定する。応用モードボタン１４０７が押下されたときはＳ１３０５に進み、後述する応用モード処理を実行してＳ１３０１に進む。
【００５４】
またＳ１３０４で応用モードボタン１４０７が押下されないときはＳ１３０６に進みＣＰＵ１１１は、スタートボタン１４０８が押下されて、送信開始が指示されたかどうか判定する。Ｓ１３０６でスタートボタン１４０８が押下されたと判定したときはＳ１３０７に進みＣＰＵ１１１は、後述する送信処理を実行する。Ｓ１３０６でスタートボタン１４０８が押下されないと判定したときはＳ１３１２に進みＣＰＵ１１１は、キャンセルボタン１４０９が押下されたかどうか判定する。キャンセルボタン１４０９が押下されたと判定するとＳ１３１１に進んで後処理を実行して、この処理を終了するが、そうでないときはＳ１３０１に進む。
【００５５】
Ｓ１３０７で送信処理を実行した後Ｓ１３０８に進みＣＰＵ１１１は、図１３（Ｂ）に示すようなジョブ状況画面を開くかどうかを選択させるジョブ状況誘導画面を表示する。
【００５６】
図１３（Ｂ）は、実施形態に係る画像通信装置１０１の操作部１１４の表示部に表示されるジョブ状況誘導画面１５００の一例を示す図である。ジョブ状況誘導画面１５００は、図１３（Ａ）のＦＡＸ画面上にポップアップして表示される。
【００５７】
はいボタン１５０１は、ジョブ状況画面に遷移（移動）するように指示するボタンであり、いいえボタン１５０２は、ジョブ状況画面に遷移するように指示しないボタンである。
【００５８】
次にＳ１３０９に進みＣＰＵ１１１は、はいボタン１５０１が押下されたかどうか判定し、はいボタン１５０１が押下されたときはＳ１３１０に進んで、図２４を参照して後述するジョブ状況処理を実施する。そして図２５を参照して後述するＳ１３１１の後処理を実施して、この処理を終了する。一方、Ｓ１３０９でいいえボタン１５０２が押下されたときはＳ１３１１に進み、後処理を実施して、この処理を終了する。
【００５９】
この処理により、ファクス画面から宛先や解像度、原稿サイズ等を指定して、ファクスの送信を開始でき、ジョブの状況画面を表示することにより、実行中のファクス送信の状況を確認できる。
【００６０】
次に図１４のフローチャートを参照して図３のＳ３０７のスキャンして送信処理を説明する。
【００６１】
図１４は、図３のＳ３０７のスキャンして送信処理を説明するフローチャートである。このスキャンして送信処理は、基本的に図１２のファクス処理と同じである。
【００６２】
まずＳ１６０１でＣＰＵ１１１は、例えば図１５に示すようなスキャン画面を操作部１１４の表示部に表示する。
【００６３】
図１５は、実施形態に係る画像通信装置１０１の操作部１１４に表示されるスキャン画面の一例を示す図である。
【００６４】
宛先表示領域１７０１は、宛先に指定された宛先を表示する。カラーモード１７０２は、原稿の読み込み時のカラーモードで、ここではフルカラーが指定されている。解像度１７０２は、原稿を読み取るときの解像度を示し、ここでは２００×１００ｄｐｉに設定されている。原稿サイズ１７０４は、読み取り対象の原稿のサイズを示し、ここでは、検知した原稿サイズとする「自動」が設定されている。ファイル形式１７０５は、読み取った原稿の画像データを送信するときのファイル形式を示し、ここではＰＤＦが設定されている。アドレス帳アイコン１７０６は、宛先をアドレス帳を参照して指定するときに押下される。スタートボタン１７０７は、原稿の読み取りの開始を指示するボタン、キャンセルボタン１７０８は、この画面を介して設定をキャンセルするためのボタンである。
【００６５】
図１４に戻りＳ１６０２でＣＰＵ１１１は、アドレス帳アイコン１７０６が押下されたかどうか判定し、アドレス帳アイコン１７０６が押下されたときはＳ１６０３に進みＣＰＵ１１１は、後述する宛先選択処理を実施してＳ１６０１に進む。
【００６６】
Ｓ１６０２でＣＰＵ１１１は、アドレス帳アイコン１７０６が押下されていないときはＳ１６０４に進みＣＰＵ１１１は、応用モードアイコン１７０９が押下されて、応用モードが選択されたかどうかを判定する。応用モードが選択されていればＳ１６０５に進みＣＰＵ１１１は、後述する応用モード処理を実施してＳ１６０１に進む。
【００６７】
Ｓ１６０４で応用モードが選択されていなければＳ１６０６に進みＣＰＵ１１１は、スタートボタン１７０７が押下されて、送信開始が指示されたかどうかを判定する。そうであればＳ１６０７に進み、後述する送信処理を実施してＳ１６０８に進むが、そうでないときはＳ１６１２に進む。Ｓ１６１２でＣＰＵ１１１は、キャンセルボタン１７０８が押下されて、キャンセルが指示されたかどうかを判定する。キャンセルが指示されていればＳ１６１１に進んで後処理を実行して、この処理を終了する。一方、Ｓ１６１２でキャンセルが指示されていなければＳ１６０１へ戻る。
【００６８】
この処理により、スキャン画面から宛先や、カラーモード、解像度、原稿サイズ、ファイル形式等を指定して、スキャンして送信を開始でき、ジョブの状況画面を表示することにより、実行中のスキャンして送信処理の状況を確認できる。
【００６９】
図１５（Ｂ）は、図１４のＳ１６０８で表示されるジョブ状況誘導画面１８００の一例を示す図である。
【００７０】
このジョブ状況誘導画面１８００は、図１５（Ａ）の画面上にポップアップ表示される、ジョブ状況画面を開くかどうかをユーザに選択させる画面である。ここで、はいボタン１８０１が押下されて、ジョブ状況画面を開く選択がされるとＳ１６０９からＳ１６１０に進んで、後述するジョブ状況処理を実施し、その後Ｓ１６１１に進み、後述する後処理を実施して、この処理を終了する。一方、Ｓ１６０９でいいえボタン１８０２が押下されたと判定した時は、ジョブ状況を開く選択がされていないためＳ１６１１に進んで後処理を実施して、この処理を終了する。
【００７１】
図１６は、図１２のＳ１３０３、図１４のＳ１６０３の宛先選択処理を説明するフローチャートである。
【００７２】
まずＳ１９０１でＣＰＵ１１１は、画像通信装置１０１にファクスモデムが搭載されているかどうかを判定し、搭載されていると判定するとＳ１９０２に進むが、そうでないときはＳ１９０３に進む。Ｓ１９０２でＣＰＵ１１１は、記憶部１１３に格納されているアドレス帳からファクス宛先も含めた宛先の一覧を取得してＳ１９０５に進んで、操作部１１４にアドレス帳画面を表示する。
【００７３】
図１７（Ａ）は、Ｓ１９０５で操作部１１４の表示部に表示されるアドレス帳画面の一例を示す図である。
【００７４】
宛先種別ボタン２００１は、特定の宛先種別を指定するためのボタンで、これにより宛先の絞り込みを行うことができる。宛先表ボタン２００２は、宛先表の絞り込みを行うボタンである。２００３は、宛先の名称をフリガナを用いて絞り込むためのボタンである。これらボタン２００１，２００２，２００３によって絞り込まれた宛先の一覧はアドレス表示領域２００４に表示される。図１７（Ａ）では、アドレス表示領域２００４には、ファクスの宛先として図２のファクス装置２０２が表示されている。またアドレス表示領域２００４に表示されている宛先を選択した状態で、詳細情報ボタン２００５を押下すると、選択中の宛先の詳細情報を確認することができる。
【００７５】
図１６に戻って、Ｓ１９０１でＣＰＵ１１１が、ファクスモデムが搭載されていないと判定するとＳ１９０３に進み、ＣＰＵ１１１は、記憶部１１３からファクスサーバを使用するかどうかの設定を取得し、使用する設定になっているかどうかを判定する。ここでファクスサーバを使用する設定になっていると判定するとＳ１９０２に進み、そうでないときはＳ１９０４に進みＣＰＵ１１１は、アドレス帳からファクス宛先を含まない宛先一覧を取得してＳ１９０５に進む。
【００７６】
Ｓ１９０５でＣＰＵ１１１は、例えば図１７（Ａ）に示すようなアドレス帳画面を操作部１１４に表示する。次にＳ１９０６に進みＣＰＵ１１１は、アドレス帳画面でＯＫボタン２００６が押下されて、宛先の確定が指示されたかどうかを判定する。そうであればＳ１９０７に進みＣＰＵ１１１は、アドレス表示領域２００４に表示されている宛先の中で、選択されている宛先があるかどうかを判定し、選択された宛先があればＳ１９０８に進み、その選択された宛先を送信宛先に追加してこの処理を終了する。一方、Ｓ１９０７で宛先が選択されていないときは、宛先を選択せずにＯＫボタン２００６が押下されたことになるので、そのままこの処理を終了する。
【００７７】
一方、Ｓ１９０６で、ＯＫボタン２００６が押下されないときはＳ１９０９に進みＣＰＵ１１１は、図２０の登録／編集ボタン２００７が押下されて、アドレス帳への宛先追加（登録）が指示されたかどうかを判定する。そうであればＳ１９１０に進むが、そうでないときはＳ１９１７に進む。Ｓ１９１７でＣＰＵ１１１は、図１７（Ａ）の画面でキャンセルボタン２００８が押下されたかどうか判定し、キャンセルボタン２００８が押下されたときは、この処理を終了し、そうでないときはＳ１９０６に進む。またＳ１９１０でＣＰＵ１１１は、Ｓ１９０１と同様に、画像通信装置１０１にファクスモデムが搭載されているかどうかを判定する。ここで搭載されていると判定するとＳ１９１１に進み、ＣＰＵ１１１は、例えば図１７（Ｂ）に示すようなアドレス帳登録画面を操作部１１４に表示してＳ１９１２に進む。
【００７８】
図１７（Ｂ）は、Ｓ１９１１で操作部１１４の表示部に表示される、ファクス宛先も登録できるアドレス帳登録画面の一例を示す図である。
【００７９】
図１７（Ｂ）において、宛先種別２１０１では「ファクス」が指定されており、宛先表２１０２では、図１７（Ａ）と同様に「宛先表１」が選択されている。そして宛先名称２１０３には「ファクス装置２０２」がファクス番号２１０４には、その宛先のファクス番号が表示されている。ここでＯＫボタン２１０５が押下されると、この画面の内容がアドレス帳に登録される。
【００８０】
一方、Ｓ１９１０でＣＰＵ１１１が、ファクスモデムが搭載されていないと判定した場合はＳ１９１５に進みＣＰＵ１１１は、記憶部１１３からファクスサーバを使用するかどうかの設定を取得し、ファクスサーバを使用する設定かどうかを判定する。ここで使用する設定になっている場合は前述のＳ１９１１に進み、そうでないときはＳ１９１６に進む。このときＣＰＵ１１１は、ファクスサーバが対応していない文字列が事前に判明していれば、それら文字を入力できないようにした状態で表示する方が望ましい。そのような文字は一例として、ポーズやトーン、Ｆネット等が挙げられる。Ｓ１９１６でＣＰＵ１１１は、例えば図１８に示すようなファクス宛先を登録できないアドレス帳登録画面を表示してＳ１９１２に進む。
【００８１】
図１８は、Ｓ１９１６で操作部１１４の表示部に表示される、ファクス宛先を登録できないアドレス帳登録画面の一例を示す図である。
【００８２】
図１７（Ｂ）と図１８とを比較すると明らかなように、図１８では、宛先種別２１０１では「メール」が指定されており、宛先表２１０２では、図１７（Ｂ）と同様に「宛先表１」が選択されている。そして宛先名称２１０３には「ＦＡＸサーバ２０１」が、メールアドレス２１０４には、その宛先のメールアドレスが表示されている。ここでＯＫボタン２１０５が押下されると、この画面の内容がアドレス帳に登録される。このファクス宛先を登録できない宛先登録画面では、宛先種別２１０１でファクスを選択できなくしている。
【００８３】
Ｓ１９１２でＣＰＵ１１１は、ＯＫボタン２１０５が押下されて、宛先の入力完了が指示されたかどうかを判定する。入力完了が指示されたときはＳ１９１３に進みＣＰＵ１１１は、その画面で入力された内容を記憶部１１３に記録されているアドレス帳に追加登録して、この処理を終了する。一方、ＯＫボタン２１０５が押下されないときはＳ１９１４に進みＣＰＵ１１１は、キャンセルボタン２１０６が押下されて、宛先登録のキャンセルが指示されたかどうかを判定する。ここでキャンセルが指示されたときはこの処理を終了し、キャンセルが指示されていないときはＳ１９１２に戻って処理を継続する。
【００８４】
この宛先選択処理により、画像通信装置１０１がファクスモデムを搭載しているか、またファクスサーバを使用する設定かどうかに応じて、表示するアドレス帳を切り替えることができる。そして、その表示されたアドレス帳から、宛先を選択して送信先に設定できる。またそのアドレス帳に宛先を登録、或いは宛先を編集する場合も、画像通信装置１０１がファクスモデムを搭載しているか、またファクスサーバを使用する設定かどうかに応じて、対象となるアドレス帳を切り替えることができる。
【００８５】
図１９は、図１２のＳ１３０５、図１４のＳ１６０５の応用モード処理を説明するフローチャートである。
【００８６】
先ずＳ２３０１でＣＰＵ１１１は、例えば図２０に示すような応用モード画面を表示する。
【００８７】
図２０は、Ｓ２３０１で操作部１１４の表示部に表示される応用モード画面の一例を示す図である。
【００８８】
この画面を介してユーザは、時刻を指定した送信、ダイレクト送信などの送信方法に加えて、枠消しや倍率、濃度、原稿の種類（文字／写真）等を指定できる。図１９では、時刻指定送信、ダイレクト送信、発信人名称は指定できないようになっている。
【００８９】
次にＳ２３０２に進みＣＰＵ１１１は、現在選択されている送信宛先にファクス宛先が含まれているかどうかを判定する。ここで含まれていると判定するとＳ２３０３に進むが、そうでないときはＳ２３０４に進む。Ｓ２３０３でＣＰＵ１１１は、画像通信装置１０１にファクスモデムが搭載されているかを判定する。ここでファクスモデムが搭載されていると判定するとＳ２３０４に進む。Ｓ２３０４でＣＰＵ１１１は、この応用モード画面の閉じるボタン２４０１が押下されて設定が完了したか否か判定し、閉じるボタン２４０１が押下されるのを待って、この処理を終了する。
【００９０】
一方、Ｓ２３０３でファクスモデムが搭載されていないと判定した場合はＳ２３０５に進みＣＰＵ１１１は、記憶部１１３からファクスサーバを使用するかどうかの設定を取得し、ファクスサーバを使用する設定になっているか否か判定する。ここでファクスサーバを使用する使用する設定になっていればＳ２３０６に進みＣＰＵ１１１は、ファクスサーバを用いた送信では使用できない応用モードの設定を設定できないように表示してＳ２３０４に進む。尚、このファクスサーバを用いた送信では使用できない可能性のある応用モードの一例としては、ダイレクト送信や、時刻指定送信、発信人名称の指定などが挙げられ、図２０では、これらの項目を設定できないように表示している。尚、これら設定できないように表示する表示方法としては、これ以外に、グレーアウトや、非表示などが一例として挙げられる。またＳ２３０５でファクスサーバを使用する設定になっていないと判定するとＳ２３０４に進む。
【００９１】
この応用モード処理では、送信先ファクス宛先が含まれていて、かつファクスモデムが搭載されていなくてファクスサーバを使用する場合、ファクスサーバを用いた送信では使用できない応用モードを選択できないようにしている。
【００９２】
図２１は、図１２のＳ１３０７、図１４のＳ１６０７の送信処理を説明するフローチャートである。
【００９３】
この処理が開始されるとまずＳ２５０１でＣＰＵ１１１は、図２２のフローチャートを参照して後述する原稿スキャン処理を実施する。次にＳ２５０２に進みＣＰＵ１１１は、選択されている送信宛先から未送信の１つの宛先を取得する。次にＳ２５０３に進みＣＰＵ１１１は、Ｓ２５０２で取得した宛先がファクス宛先かどうかを判定する。ここでファクス宛先であると判定するとＳ２５０４に進みＣＰＵ１１１は、記憶部１１３からファクスサーバを使用するか否かの設定を取得し、ファクスサーバを使用する設定かどうかを判定する。ここでファクスサーバを使用する設定と判定するとＳ２５０５に進みＣＰＵ１１１は、記憶部１１３からファクスサーバの設定を取得する。次にＳ２５０６に進みＣＰＵ１１１は、その取得したファクスサーバの情報からドメイン情報を取得し、Ｓ２５０７で、その取得したファクス宛先のファクス番号の末尾にドメイン情報を付加する。そしてＳ２５０８に進みＣＰＵ１１１は、その生成した宛先情報に対して、Ｓ２５０１の原稿スキャン処理で生成した画像データをＩファクス送信してＳ２５０９に進む。Ｓ２５０９でＣＰＵ１１１は、未送信の宛先が残っているかを判定し、残っていればＳ２５０２に戻って、前述の処理を繰り返し、残っていなければ、この処理を終了する。
【００９４】
またＳ２５０４でＣＰＵ１１１は、ファクスサーバを使用する設定になっていないと判定した場合はＳ２５１０に進む。Ｓ２５１０でＣＰＵ１１１は、Ｓ２５０１の原稿スキャン処理で生成した画像データを、ファクスモデムを使用して、Ｓ２５０２で取得した宛先に対してファクス送信してＳ２５０９に進む。
【００９５】
またＳ２５０３でＣＰＵ１１１は、ファクス宛先でないと判定した場合はＳ２５１１に進み、Ｓ２５０２で取得した宛先がメールの宛先かどうかを判定する。ここでメールの宛先であると判定するとＳ２５１２に進みＣＰＵ１１１は、Ｓ２５０１の原稿スキャン処理で生成した画像データを、Ｓ２５０２で取得した宛先にメール送信してＳ２５０９に進む。
【００９６】
またＳ２５１１で、メールの宛先でないと判定するとＳ２５１３に進みＣＰＵ１１１は、その宛先がＳＭＢ宛先かどうかを判定する。ここでＳＭＢ宛先であると判定するとＳ２５１４に進みＣＰＵ１１１は、Ｓ２５０１の原稿スキャン処理で生成した画像データを、その宛先にＳＭＢ送信してＳ２５０９へ進む。
【００９７】
またＳ２５１３でＣＰＵ１１１は、ＳＭＢ宛先でないと判定するとＳ２５１５に進みＣＰＵ１１１は、その宛先がＦＴＰ宛先かどうかを判定する。ここでＦＴＰ宛先であると判定するとＳ２５１６に進みＣＰＵ１１１は、Ｓ２５０１の原稿スキャン処理で生成した画像データを、その宛先にＦＴＰ送信してＳ２５０９へ進む。
【００９８】
またＳ２５１５でＦＴＰ宛先でないと判定するとＳ２５１７に進みＣＰＵ１１１は、その宛先がＷｅｂＤＡＶ宛先かどうかを判定する。ＷｅｂＤＡＶ宛先であると判定するとＳ２５１８に進みＣＰＵ１１１は、Ｓ２５０１の原稿スキャン処理で生成した画像データをその宛先にＷｅｂＤＡＶ送信してＳ２５０９へ進む。
【００９９】
さらに、Ｓ２５１７で、その宛先がＷｅｂＤＡＶ宛先でなければＳ２５１９に進みＣＰＵ１１１は、その宛先はＩファクス宛先であると判断し、Ｓ２５０２で取得した宛先にドメイン名が含まれているか否か判定する。ここでドメイン名が含まれていると判定するとＳ２５２０に進みＣＰＵ１１１は、Ｓ２５０１の原稿スキャン処理で生成した画像データを、その宛先にＩファクス送信してＳ２５０９に進む。またＳ２５１９で、その宛先にドメイン名が含まれていないと判定した場合はＳ２５２１に進みＣＰＵ１１１は、記憶部１１３からＩファクスのドメイン設定を取得してＳ２５２２に進み、Ｓ２５０２で取得した宛先の末尾に、そのドメインを付加する。そしてＳ２５２０に進みＣＰＵ１１１は、その生成した宛先に対して原稿スキャン処理で生成した画像データをＩファクス送信して、Ｓ２５０９へ進む。
【０１００】
この処理により、送信先がＦＡＸの宛先で、ファクスサーバを使用するときは、登録しているファクスサーバの設定を参照して、そのファクスサーバのファクス番号にドメインを自動的に付加してＩＦＡＸ送信することができる。また、送信先がメールの宛先、ＳＭＢ宛先、ＦＴＰ宛先、ＷｅｂＤＡＶ宛先、ＩＦＡＸ宛先かに応じて、それぞれ対応する宛先に送信することができる。またＩＦＡＸ宛先の場合、その宛先にドメインが付加されていなければ、登録しているＩＦＡＸの設定を参照して、そのＩＦＡＸ宛先にドメインを自動的に付加してＩＦＡＸ送信することができる。
【０１０１】
図２２は、図２１のＳ２５０１の原稿をスキャンして読み取る処理を説明するフローチャートである。
【０１０２】
このスキャン処理が開始されるとまずＳ２６０１でＣＰＵ１１１は、リーダ部１１５のドキュメントフィーダ（ＡＤＦ）にスキャンする原稿が置かれているかを判定する。ここで原稿が置かれていると判定するとＳ２６０２に進みＣＰＵ１１１は、そのドキュメントフィーダに置かれている原稿の全ページをスキャンして、送信用の画像データを生成して、この処理を終了する。
【０１０３】
一方、Ｓ２６０１で、ドキュメントフィーダにスキャンする原稿が置かれていないと判定した場合はＳ２６０３に進みＣＰＵ１１１は、リーダ部１１５のフラットベットで原稿サイズを検知できるかどうかを判定する。ここで原稿サイズが検知できた場合はＳ２６０４に進みＣＰＵ１１１は、フラットベットで原稿をスキャンして、送信用の画像データを生成する。次にＳ２６０５に進みＣＰＵ１１１は、例えば図２３（Ａ）に示すようなスキャン継続確認画面を表示する。
【０１０４】
図２３（Ａ）は、Ｓ２６０５で操作部１１４の表示部に表示されるスキャン継続確認画面の一例を示す図である。
【０１０５】
図２３（Ａ）の画面で、「次の原稿読み込みボタン」２７０１は、次原稿の読み取りを指示するボタン、「読み込み終了」ボタン２７０２は、原稿の読み取りを終了して、送信の開始を指示するボタンである。
【０１０６】
Ｓ２６０６でＣＰＵ１１１は、「次の原稿読み込みボタン」２７０１が押下されて、次原稿の読み取りが指示されたかを判定し、次原稿の読み取りが指示されていればＳ２６０１に進む。「次の原稿読み込みボタン」２７０１が押下されていなければＳ２６０９に進みＣＰＵ１１１は、「読み込み終了」ボタン２７０２が押下されて、原稿の読み取りの終了が指示されたかを判定する。原稿の読み取りの終了が指示されていれば、この処理を終了するが、そうでないときはＳ２６０６に戻る。
【０１０７】
またＳ２６０３でＣＰＵ１１１は、リーダ部１１５のフラットベットで原稿サイズを検知できなかった場合はＳ２６０８に進みＣＰＵ１１１は、例えば図２４に示すような原稿サイズ指定画面を表示する。
【０１０８】
図２３（Ｂ）は、Ｓ２６０７で操作部１１４の表示部に表示される原稿サイズ指定画面の一例を示す図である。
【０１０９】
ここでは原稿サイズとして各種サイズのボタンが表示されており、ユーザはそれらボタンのいずれかを押下することにより、原稿サイズを指定することができる。尚、「インチ系へ」ボタン２８０１を押下することで、レター、リーガルが一例として挙げられるインチ系サイズの原稿サイズを指定することもできる。
【０１１０】
Ｓ２６０８でＣＰＵ１１１は、この画面でＯＫボタン２８０２が押下されて、原稿サイズの設定が完了したかどうかを判定し、完了したと判定するとＳ２６０４に進み、その画面で指定された原稿サイズでフラットベット上の原稿をスキャンする。またＳ２６０８でＯＫボタン２８０２が押下されないときはＳ２６０７へ戻る。
【０１１１】
この処理により、ＡＤＦに載置されている原稿は、原稿サイズが検知できるため、その検知したサイズに応じて読み取り処理を実行できる。またフラットベット（プラテンガラス）に載置された原稿の場合は、一枚ずつ読み取りを実行する。このとき、その原稿のサイズが検知できない場合は、ユーザは、原稿サイズ指定画面から、その原稿サイズを指定することにより、原稿を読み取るサイズを指定することができる。
【０１１２】
図２４は、図１２のＳ１３１０、図１４のＳ１６１０のジョブ状況処理を説明するフローチャートである。
【０１１３】
この処理が開始されるとまずＳ２９０１でＣＰＵ１１１は、例えば図２３（Ｃ）に示すようなジョブ状況判定画面を表示する。
【０１１４】
図２３（Ｃ）は、Ｓ２９０１で操作部１１４の表示部に表示されるジョブ状況判定画面の一例を示す図である。
【０１１５】
図２３（Ｃ）の例では、送信ジョブのジョブ状況が表示されており、ファクスサーバを使用したファクス装置２０２へのＩＦＡＸ送信が送信中であり、ファクス装置２０２へのファクス送信がリダイヤル待機中となっていることが分かる。
【０１１６】
次にＳ２９０２に進みＣＰＵ１１１は、送信処理で実行した各種送信ジョブの情報を取得する。次にＳ２９０３に進みＣＰＵ１１１は、取得したジョブ情報の中から未処理のジョブ情報を１つ取得する。Ｓ２９０４でＣＰＵ１１１は、その取得したジョブ情報のジョブがファクス宛先を対象としたジョブかどうかを判定する。ここでファクス宛先を対象としたジョブであると判定するとＳ２９０５に進みＣＰＵ１１１は、ファクスサーバを使用した送信ジョブかどうか判定する。Ｓ２９０５で、ファクスサーバを使用した対象ファクス宛先への送信ジョブであると判定するとＳ２９０６に進み、そのジョブをＩファクスへの送信ジョブとして、ジョブ状況判定画面のステータス３００１に表示してＳ２９０７に進む。Ｓ２９０７でＣＰＵ１１１は、Ｓ２９０２で取得したジョブの情報の中に未処理のジョブ情報があるかどうか判定し、未処理の情報がなければＳ２９０８に進むが、未処理の情報があればＳ２９０３に進む。Ｓ２９０８でＣＰＵ１１１は、ジョブ状況判定画面の閉じるボタン３００２が押下されたかどうか判定し、閉じるボタン３００２が押下されたときは、この処理を終了するが、そうでないときはＳ２９１０に進む。
【０１１７】
また、Ｓ２９０４でファクス宛先を対象とした送信ジョブでないと判定した場合、又はＳ２９０５でファクスサーバを使用した送信でないと判定した場合はＳ２９０９に進む。Ｓ２９０９でＣＰＵ１１１は、送信ジョブの情報をそのままジョブ状況判定画面のステータス３００１に表示してＳ２９０７に進む。
【０１１８】
Ｓ２９１０でＣＰＵ１１１は、ジョブ情報を取得した以降で、状態が変化した送信ジョブがあるかどうかを判定する。ここでの送信ジョブの変化としては、送信完了や、送信エラーなどが一例として挙げられる。Ｓ２９１０で状態が変化した送信ジョブがあると判定するとＳ２９１１に進みＣＰＵ１１１は、その送信ジョブの変更後の状態をジョブ状況判定画面のステータス３００１に反映してＳ２９０７に戻る。また状態が変化した送信ジョブがなかった場合もＳ２９０７へ戻って、処理を継続する。
【０１１９】
この処理により、ファクスサーバを使用したファクス送信と、そうでないファクス送信とを識別して表示できる。
【０１２０】
図２５は、図１２のＳ１３１１、図１４のＳ１６１１の後処理を説明するフローチャートである。
【０１２１】
後処理が開始されるとＳ３１０１でＣＰＵ１１１は、図１６のＳ１９０８で指定された送信宛先を消去し、送信宛先が指定されていない状態にして、この処理を終了する。
【０１２２】
上述の実施形態では、ファクス送信時にファクスサーバを使用するかどうかの設定を予め記憶部１１３に登録しておく形態となっているが、本発明はこれに制限されるものではない。例えば、この設定を応用モードの一部とし、送信ジョブを実行するごとに、その都度設定するという実施形態もある。
【０１２３】
以上説明したように実施形態によれば、画像通信装置のファクス機能を使用していたユーザが、違和感なく、その画像通信装置からインターネットファクスサービスへ送信できるようになる。
【０１２４】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【０１２５】
本発明は上記実施形態に制限されるものではなく、本発明の精神及び範囲から離脱することなく、様々な変更及び変形が可能である。従って、本発明の範囲を公にするために、以下の請求項を添付する。
【符号の説明】
【０１２６】
１０１…画像通信装置、１１…ＣＰＵ、１１２…ＲＡＭ、１１３…記憶部、１１４…操作部、１１５…リーダ部、２０１…ＦＡＸサーバ、２０２…ファクス装置
【図１】
2019047285.tif 000003
【図２】
2019047285.tif 000004
【図３】
2019047285.tif 000005
【図４】
2019047285.tif 000006
【図５】
2019047285.tif 000007
【図６】
2019047285.tif 000008
【図７】
2019047285.tif 000009
【図８】
2019047285.tif 000010
【図９】
2019047285.tif 000011
【図１０】
2019047285.tif 000012
【図１１】
2019047285.tif 000013
【図１２】
2019047285.tif 000014
【図１３】
2019047285.tif 000015
【図１４】
2019047285.tif 000016
【図１５】
2019047285.tif 000017
【図１６】
2019047285.tif 000018
【図１７】
2019047285.tif 000019
【図１８】
2019047285.tif 000020
【図１９】
2019047285.tif 000021
【図２０】
2019047285.tif 000022
【図２１】
2019047285.tif 000023
【図２２】
2019047285.tif 000024
【図２３】
2019047285.tif 000025
【図２４】
2019047285.tif 000026
【図２５】
2019047285.tif 000027